Podtech/llm-jp-corpus-v4-ja_patent huggingface dataset:
【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
一般式（Ｉ）：
【化１】
2005503432.tif 000001
［式中、Ｒは、場合によりニトロ基、アミノ基、アルキルアミノ基、アシルアミノ基、−ＮＨＣ（Ｓ）ＮＨ−アルキル基、スルホニルアミド−アルキル基、式
【化２】
2005503432.tif 000002
（ｎは、１〜２０の整数である）で表される基、又は−ＮＨ−アダマンタン基により置換されているフェニル基、−ＮＨ−ｔ−ＢＯＣ基、−ＮＨ−ＦＭＯＣ基、又はＮＨ−ＣＢＺ基であり；
Ｘは、水素原子又は−ＯＲ４基（Ｒ４は、水素原子である）であり；
Ｙは、−ＮＨＲｘ基（Ｒｘは、場合によりヒドロキシ基によって置換されていることのある、直鎖状又は分枝状のアルキル鎖又はアルケニル鎖である）、式
【化３】
2005503432.tif 000003
で表される基、式
【化４】
2005503432.tif 000004
で表される基、−ＮＨ（ＳＯ２）Ｒ１基、−ＮＲ１Ｒ２基、−Ｎ＋Ｒ１Ｒ２Ｒ３基（Ｒ１、Ｒ２及びＲ３は、同一であるか又は異なっていることがあり、それぞれ、Ｃ１−６アルキル基又はＣ１−６アルケニル基である）であり；
Ｚは、水素原子、−ＯＨ基、モノ−又はジサッカライド、モノサッカライドスルフェート及びコリンホスフェートであるが；
但し、Ｙが−ＮＨＲｘ基である場合には、Ｚは水素原子又はＯＨ基である］
で表される化合物、及びその異性体及び薬剤学的に許容することができるその塩。
【請求項２】
Ｒがニトロフェニル基である、請求項１に記載の化合物。
【請求項３】
Ｒがアミノフェニル基又はアルキルアミノフェニル基である、請求項１に記載の化合物。
【請求項４】
Ｚが−ＯＨ基である、請求項１〜３のいずれか一項に記載の化合物。
【請求項５】
式
【化５】
2005503432.tif 000005
（ＡＤ−２６６５と称する）、式
【化６】
2005503432.tif 000006
（ＡＤ−２６４６と称する）、式
【化７】
2005503432.tif 000007
（ＡＤ−２６７２と称する）、式
【化８】
2005503432.tif 000008
（ＡＤ−２７５４と称する）、
で表される化合物である、請求項１に記載の化合物。
【請求項６】
活性成分として、請求項１に記載の式（Ｉ）で表される化合物を含み、そして場合により、製剤学的に許容することができる担体、佐剤又は希釈剤を更に含む、医薬組成物。
【請求項７】
スフィンゴリピドの蓄積を低減するための、請求項６に記載の医薬組成物。
【請求項８】
脂質蓄積症の治療用の、請求項７に記載の医薬組成物。
【請求項９】
前記脂質蓄積症が、ゴーシェ病、テイ−サックス病、ニーマン−ピック病、クラッベ病、異染性ロイコジストロフィー、ファブリー病及びファーバー病から選ばれる、請求項８に記載の医薬組成物。
【請求項１０】
酸性、中性及びアルカリ性のスフィンゴミエリナーゼ、酸性、中性及びアルカリ性のセラミダーゼ、α−ガラクトシルシンテターゼ、セラミドシンテターゼ、スフィンゴミエリンシンテターゼ及びグリコセラミドシンテターゼのいずれか１つを阻害するための医薬の製造における、請求項１に記載の式（Ｉ）で表される化合物の使用。
【請求項１１】
癌性疾病の治療用の、請求項６に記載の医薬組成物。
【請求項１２】
野生型及び薬物耐性癌細胞を殺傷するための医薬の製造における、請求項１に記載の式（Ｉ）で表される化合物の使用。
【請求項１３】
前記殺傷が薬物耐性癌細胞の選択的殺傷である、請求項１２に記載の使用。
【請求項１４】
寄生生物、ウイルス、細菌、真菌類及びプリオンの疾病の治療用の、請求項６に記載の医薬組成物。
【請求項１５】
前記寄生生物の疾病が、マラリア又はリーシュマニアである、請求項１４に記載の医薬組成物。
【請求項１６】
マラリア又はリーシュマニアの治療用の医薬の製造における、請求項１に記載の式（Ｉ）で表される化合物の使用。
【請求項１７】
脂質蓄積症の治療が必要な患者での前記脂質蓄積症の治療用の医薬の製造における、請求項１に記載の式（Ｉ）で表される化合物の使用。
【請求項１８】
前記脂質蓄積症が、ゴーシェ病、テイ−サックス病、ニーマン−ピック病、クラッベ病、異染性ロイコジストロフィー、ファブリー病及びファーバー病から選ばれる、請求項１７に記載の使用。
【請求項１９】
癌性疾病の治療が必要な患者での前記癌性疾病の治療用の医薬の製造における、式中の置換基が請求項１に記載の式（Ｉ）で表される化合物又は前記化合物を含む医薬組成物の治療上の有効量を前記患者に投与することを含む、請求項１に記載の式（Ｉ）で表される前記化合物の使用。
【誤訳訂正書】
【提出日】平成20年6月25日(2008.6.25)
【誤訳訂正１】
【訂正対象書類名】明細書
【訂正対象項目名】００２４
【訂正方法】変更
【訂正の内容】
【００２４】
かかる化合物の例としては、トリフェニルホスフィン（モノメタナトリウムスルホネート）（ＴＰＰＭＳＮａ）、（５−ソジオカルボキシ−２−フリル）ジフェニルホスフィン又は（３−ソジオスルフィナトフェニル）ジフェニルホスフィンを挙げることができる。
【誤訳訂正２】
【訂正対象書類名】明細書
【訂正対象項目名】００８３
【訂正方法】変更
【訂正の内容】
【００８３】
以下の例において用いる略号は、次の意味を持つ：
ｃｏｄ＝１，５−シクロオクタジエン
ｅｑ＝当量
２Ｍ３ＢＮ＝２−メチル−３−ブテンニトリル
２Ｍ２ＢＮ＝２−メチル−２−ブテンニトリル
３ＰＮ＝３−ペンテンニトリル
４ＰＮ＝４−ペンテンニトリル
３＋４ＰＮ＝３ＰＮ＋４ＰＮ
ＤＮ＝ＡＤＮ＋ＭＧＮ＋ＥＳＮ
ＭＧＮ＝メチルグルタロニトリル
ＥＳＮ＝エチルスクシノニトリル
ＤＣ（Ｙ）＝ヒドロシアン化されるべき物質Ｙの転化率。これはＹの出発時のモル数に対する転化したＹのモル数の比に相当する。
ＴＹ（Ｘ）＝化合物Ｘの真の収率。これはＸの最大モル数に対する生成したＸのモル数の比に相当する。
ＹＤ（Ｘ）＝化合物Ｘについての選択性。これはＴＹ（Ｘ）対ＤＣ（Ｙ）の比に相当する。
Ｌ＝直鎖性＝ＹＤAdN／ＹＤDN
ＧＣ＝ガスクロマトグラフィー
ＴＰＰＭＳＮａ＝トリフェニルホスフィン（モノメタナトリウムスルホネート）
Ｐ(Ｐｈ)2ＰｈＳＯ2Ｎａ＝（３−ソジオスルフィナトフェニル）ジフェニルホスフィン
Ｐ(Ｐｈ)2ＦｕＣＯ2Ｎａ＝（５−ソジオカルボキシ−２−フリル）ジフェニルホスフィン
ＢＰｈ3＝トリフェニルボラン
Ｉｎ(ＣＦ3ＳＯ3)3
ＺｎＰｈ2
Ｚｎ(ＣＦ3ＳＯ3)2
【誤訳訂正書】
【提出日】平成20年5月29日(2008.5.29)
【誤訳訂正１】
【訂正対象書類名】明細書
【訂正対象項目名】特許請求の範囲
【訂正方法】変更
【訂正の内容】
【特許請求の範囲】
【請求項１】
スポーツシューズおよび／またはレジャーシューズにおける足を支持するための装置であって、
足の第１中足骨頭部（７）の末端部の支えとして使用されるべき領域に配置されたサスペンション部材（３）と、
足裏のかかとの前部領域に配置された横断サスペンション部材（４）と、を備えることを特徴とする装置。
【請求項２】
第１中足骨頭部（７）を支持するのに用いられる前記サスペンション部材（３）は、第１中足骨頭部が軟骨関節で覆われた趾骨の第１基節骨底をより正確に支持するのに使用される領域に配置されることを特徴とする請求項１に記載の装置。
【請求項３】
足裏のかかとの前部領域に配置された前記サスペンション部材（４）は、かかとの内側縁部に沿う延長部（５）を有することを特徴とする請求項１または２に記載の装置。
【請求項４】
前記サスペンション部材（３，４，５）は３〜６ｍｍのオーダーの厚さを有することを特徴とする請求項１から３のいずれか一項に記載の装置。
【請求項５】
前記サスペンション部材（３，４，５）は可撓性の弾性記憶材料から作られることを特徴とする請求項１から４のいずれか一項に記載の装置。
【請求項６】
前記サスペンション部材（３，４，５）は、２０〜５０のショア硬さおよび７０ｋｇ／ｍ３より高い密度を有するＥＶＡ（エチレン・ビニル・アセタート）よりなることを特徴とする請求項５に記載の装置。
【請求項７】
前記サスペンション部材（３，４，５）は、６０〜１４０のショア硬さおよび１００ｋｇ／ｍ３より高い密度を有するポリエチレンからなることを特徴とする請求項５に記載の装置。
【請求項８】
前記サスペンション部材（３，４，５）はそれぞれ靴の中敷き（２）の下面に配置されることを特徴とする請求項１から７のいずれか一項に記載の装置。
【請求項９】
前記サスペンション部材は、それぞれ靴底、靴底の上面、あるいは地面と接触するソールの外面に配置されることを特徴とする請求項１から７のいずれか一項に記載の装置。
【請求項１０】
前記サスペンション部材（４）には、つま先を屈曲させたときに生じる長さ方向の収縮を吸収するため、長軸方向にグルーブが設けられていることを特徴とする請求項１から９のいずれか一項に記載の装置。
【請求項１１】
請求項１から１０のいずれか一項に記載の装置を得るための方法であって、
使用者の足あるいは使用者の足に相当する形にあわせて装置を成形する段階を備えることを特徴とする方法。
【誤訳訂正２】
【訂正対象書類名】明細書
【訂正対象項目名】００１４
【訂正方法】変更
【訂正の内容】
【００１４】 
【課題を解決するための手段】
そのため、ここで述べる装置には、足の第１中足頭部の末端部を支えるのに使用されるべき領域に配置されたサスペンション部材と、足裏のかかとの前部領域に配置された横断サスペンション部材と、の組み合わせが設けられている。
【誤訳訂正３】
【訂正対象書類名】明細書
【訂正対象項目名】００１５
【訂正方法】変更
【訂正の内容】
【００１５】
有利には、第１中足骨頭部を支持するのに用いられるサスペンション部材は、第１中足骨頭部が軟骨関節で覆われた趾骨の第１基節骨底をより正確に支持するのに使用される領域に配置される。
【誤訳訂正４】
【訂正対象書類名】明細書
【訂正対象項目名】００１７
【訂正方法】変更
【訂正の内容】
【００１７】
サスペンション部材は、足の運動制動領域を形成する外側の中足骨範囲には影響を及ぼさず、推進力のみを与えかつ活発な足裏屈曲のみを示すものである第１中足骨範囲にのみ影響を及ぼすものであることに留意しなければならない。足裏のかかとの前部領域に位置するサスペンション部材は、第１中足骨頭部の末端部の支持領域に配置されたサスペンション部材との組み合わせによって、“ウィンドラス機構”として挙げられた、親指の背側湾曲による足裏の腱膜の引っ張りを可能にする。
【誤訳訂正５】
【訂正対象書類名】明細書
【訂正対象項目名】００２８
【訂正方法】変更
【訂正の内容】
【００２８】
図１、図２、および図４に示す本発明によれば、このソールは、足の第１中足骨頭部７の末端部の支えとして使用されることが意図された領域にサスペンション部材３を有している。このサスペンション部材３は、趾骨の第１基節骨底、すなわち第１中足骨頭部の関節を支持するのにより正確に使用されている。このサスペンション部材は、可撓性の弾性記憶材料から作られ、圧力がかけられた後でも元の形に急速に戻ろうとする。サスペンション部材の厚さは、３〜６mmのオーダーである。可撓性を有するサスペンション部材により、そのようなソールを備えた靴の履きこごちは悪くならないのである。
【誤訳訂正６】
【訂正対象書類名】明細書
【訂正対象項目名】００３０
【訂正方法】変更
【訂正の内容】
【００３０】
図１から図３に示したソールは、ゴルフ用シューズに用いるのに特に適したものであり、足の中心軸線下にある足裏のかかとの前部横断サスペンション部材４をさらに備えている。この足裏のかかとの前部横断サスペンション部材４には、かかとの内側にかけて後方延長部５が設けられている。サスペンション部材３と組み合わされたこれらサスペンション部材４，５は、体位バランスおよびヒップの移動を助長するとともに、足の親指を背側湾曲させて足裏の腱膜を引っ張ることによって、捻られやすい外転から捻られにくい内転に変わる荷重移動を導いている。
【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
生物活性物質を分散ないし溶解させ、かつ媒体を溶解させた溶媒を準備し、乳化を非溶媒相で実施して、溶媒相に生物活性物質と媒体を含むエマルジョンを作り、溶媒を蒸発させてマイクロ粒子を残すことを含むマイクロ粒子の製造方法において、少なくとも２種類の界面活性剤の混合物が該エマルジョンを安定化させるために用いられ、マイクロ粒子の中位径を１００μｍ以下とするために該混合物のＨＬＢ（親水性／親油性バランス）が８以下であることを特徴とする生物活性物質と媒体を含むマイクロ粒子の製造方法。
【請求項２】
前記ＨＬＢが２〜７である請求項１記載の方法。
【請求項３】
前記ＨＬＢが３〜５である請求項１または２記載の方法。
【請求項４】
前記ＨＬＢが３〜４である先行するいずれかの請求項記載の方法。
【請求項５】
前記混合物がソルビタンモノオレエートとソルビタンジオレエートを含む先行するいずれかの請求項記載の方法。
【請求項６】
前記混合物が２種類の界面活性剤の等モル混合物である先行するいずれかの請求項記載の方法。
【請求項７】
前記媒体が、胃腸管において生物活性物質のｐＨ依存性および／またはｐＨ非依存性の放出を可能にするポリマーである先行するいずれかの請求項記載の方法。
【請求項８】
前記媒体が、胃腸管において生物活性物質のｐＨ依存性の放出を可能にするポリマーである請求項１〜６のいずれかに記載の方法。
【請求項９】
前記媒体がアクリル系ポリマー、セルロース系ポリマーまたはポリビニル系ポリマーである先行するいずれかの請求項記載の方法。
【請求項１０】
前記媒体がメタクリレートポリマーである請求項９記載の方法。
【請求項１１】
前記媒体が、Ｅｕｄｒａｇｉｔ（登録商標）Ｌ１００、Ｅｕｄｒａｇｉｔ（登録商標）Ｌ１００−５５、Ｅｕｄｒａｇｉｔ（登録商標）Ｓ１００、Ｅｕｄｒａｇｉｔ（登録商標）Ｐ４１３５、Ｅｕｄｒａｇｉｔ（登録商標）ＲＳ１００またはエチルセルロースを含む先行するいずれかの請求項記載の方法。
【請求項１２】
前記媒体がＥｕｄｒａｇｉｔ（登録商標）ＲＳ単独でない請求項１〜８のいずれかに記載の方法。
【請求項１３】
前記生物活性物質が、プレドニゾロン、ベンドロフルアジドまたはブデゾニドである先行するいずれかの請求項記載の方法。
【請求項１４】
前記溶媒がエタノールであるか、またはアセトンとエタノールかメタノールとの混合物である先行するいずれかの請求項記載の方法。
【請求項１５】
前記混合物中の界面活性剤が両方ともに溶媒相に加えられるか、両方ともに非溶媒相に加えられるか、または一つが各相に加えられる先行するいずれかの請求項記載の方法。
【請求項１６】
前記非溶媒相が流動パラフィンである先行するいずれかの請求項記載の方法。
【請求項１７】
前記乳化が１０〜３０℃の温度で実施される先行するいずれかの請求項記載の方法。
【請求項１８】
先行するいずれかの請求項記載の方法により得ることのできるマイクロ粒子の組成物。
【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
ａ）アルファ−リノレン酸（ＡＬＡ，  Ｃ１８：３  ｎ−３）及び／又は医薬的に許容できるその誘導体及び／又は前駆体、又は
ｂ）ドコサヘキサエン酸（ＤＨＡ，  Ｃ２２：６  ｎ−３）及び／又は医薬的に許容できるその誘導体及び／又は前駆体、又は
ｃ）エイコサペンタエン酸（ＥＰＡ，  Ｃ２０：５  ｎ−３）とそれぞれ１：０．５〜１：１．７の比で混合したＤＨＡ及び／又は医薬的に許容できるその誘導体及び／又は前駆体、
のいずれかを含み、ａ）又はｂ）又はｃ）のいずれかが組成物中の総脂肪酸重量の７０重量％以上の濃度である組成物の、統合失調症、躁鬱症候群、大鬱病、及びアルツハイマー病からなる群から選択される中枢神経系（ＣＮＳ）の精神病性障害の予防及び／又は治療のための薬物の調製のための使用であって、
但し、
前記組成物がｂ）を含むとき、アラキドン酸は添加されず、及び
前記組成物がｃ）を含むとき、還元／抗酸化ビタミン又はプロビタミンの１０重量％〜４０重量％を含まない、前記使用。
【請求項２】
統合失調症が陰性及び／又は陽性の症候を示す、請求項１に記載の使用。
【請求項３】
統合失調症が妄想性統合失調症、緊張病性統合失調症、混乱性（ｄｉｓｏｒｇａｎｉｓｅｄ）統合失調症又は未分化の統合失調症である、請求項１又は２に記載の使用。
【請求項４】
躁鬱症候群及び大鬱病が活動、睡眠及び欲求と相関する気分、行動及び自律機能の障害を含む、請求項１〜３のいずれかに記載の使用。
【請求項５】
アルツハイマー病が認知症のさまざまな関連した形態を含む、請求項１に記載の使用。
【請求項６】
ｃ）におけるＤＨＡ：ＥＰＡの比が１：０．９〜１：１．５である、請求項１〜５のいずれかに記載の使用。
【請求項７】
ａ）又はｂ）又はｃ）のいずれかの濃度が組成物の総脂肪酸重量の７５重量％〜９５重量％である、請求項１〜６のいずれかに記載の使用。
【請求項８】
ａ）又はｂ）又はｃ）のいずれかの濃度が組成物の総脂肪酸重量の８０重量％〜９０重量％である、請求項１〜７のいずれかに記載の使用。
【請求項９】
ａ）又はｂ）又はｃ）のいずれかの濃度が組成物の総脂肪酸重量の８５重量％である、請求項１〜８のいずれかに記載の使用。
【請求項１０】
組成物が少なくとも一つの別のｎ−３系及び／又はｎ−６系の多価不飽和脂肪酸及び／又は一価不飽和脂肪酸及び／又は飽和脂肪酸を含む、請求項１〜９のいずれかに記載の使用。
【請求項１１】
組成物が少なくとも２つの別のｎ−３系及び／又はｎ−６系の多価不飽和脂肪酸及び／又は一価不飽和脂肪酸及び／又は飽和脂肪酸をそれら自体の間のいずれかの比で含む、請求項１０に記載の使用。
【請求項１２】
その他のn−３系及び／又はｎ−６系の多価不飽和脂肪酸及び／又は一価不飽和脂肪酸及び／又は飽和脂肪酸が３０％以下の濃度である、請求項１０又は１１に記載の使用。
【請求項１３】
ＡＬＡ、ＤＨＡ及びＥＰＡの誘導体がそれらのＣ１−Ｃ３アルキルエステル、グリセリドモノ−、ジ−、トリ−エステル、医薬的に許容できる塩基を有する塩からなる群から選択され、ＡＬＡ、ＤＨＡ及びＥＰＡの前駆体が生体内変換を通じてそれらに至ることのできる化合物である、請求項１〜１２のいずれかに記載の使用。
【請求項１４】
薬物が実質的にＤＨＡエチルエステル及びＥＰＡエチルエステルを含む、請求項１〜１３のいずれかに記載の使用。
【請求項１５】
薬物が経口経路により投与される、請求項１〜１４のいずれかに記載の使用。
【請求項１６】
薬物が軟質ゼラチンカプセルの形態にある、請求項１〜１５のいずれかに記載の使用。
【請求項１７】
薬物が０．１〜５ｇ／日の用量で投与される、請求項１〜１６のいずれかに記載の使用。
【請求項１８】
薬物が０．３〜３ｇ／日の用量で投与される、請求項１〜１７のいずれかに記載の使用。
【請求項１９】
薬物が１〜２ｇ／日の用量で投与される、請求項１〜１８のいずれかに記載の使用。
【請求項２０】
薬物が、協力剤又は補助剤として、ＣＮＳの障害の予防及び／又は治療に効果的な少なくとも一つの別の薬物と別個に投与される、請求項１〜１９のいずれかに記載の使用。
【請求項２１】
薬物がＣＮＳの障害の予防及び／又は治療のために効果的な少なくとも一つの別の薬物を含む、請求項１〜２０のいずれかに記載の使用。
【手続補正２】
【補正対象書類名】明細書
【補正対象項目名】００２５
【補正方法】変更
【補正の内容】
【００２５】
本発明の第一の態様では、
ａ）アルファ−リノレン酸（ＡＬＡ，  Ｃ１８：３  ｎ−３）及び／又は医薬的に許容できるその誘導体及び／又は前駆体、又は
ｂ）ドコサヘキサエン酸（ＤＨＡ，  Ｃ２２：６  ｎ−３）及び／又は医薬的に許容できるその誘導体及び／又は前駆体、又は
ｃ）エイコサペンタエン酸（ＥＰＡ，  Ｃ２０：５  ｎ−３）とそれぞれ１：０．５ないし１：１．７、好ましくは１：０．９ないし１：１．５の比で混合したＤＨＡ及び／又は医薬的に許容できるその誘導体及び／又は前駆体、
のいずれかを含み、ａ）又はｂ）又はｃ）が前記組成物中の総脂肪酸重量の７０重量％以上の濃度である組成物の、精神医学的関連性及び神経学的タイプの両者に関する中枢神経系（ＣＮＳ）の障害の予防及び／又は治療のための薬物の調製のための使用に言及する。
【手続補正書】
【提出日】平成19年12月4日(2007.12.4)
【手続補正１】
【補正対象書類名】特許請求の範囲
【補正対象項目名】全文
【補正方法】変更
【補正の内容】
【特許請求の範囲】
【請求項１】
少なくとも１つの幹細胞を選択的に活性化および／またはターゲティングする方法であって、
磁化可能粒子と幹細胞とを結合する工程と、
前記幹細胞を磁気で操作する工程とを含む、方法。
【請求項２】
さらに、前記幹細胞を修復部位にターゲティングする工程および／または前記細胞を修復部位に維持する工程と、前記幹細胞を調整および／または分化する工程とを含むことを特徴とする、請求項１に記載の方法。
【請求項３】
幹細胞に磁化可能粒子を導入することまたは幹細胞に磁化可能粒子を付着することを含むことを特徴とする、請求項１または２に記載の方法。
【請求項４】
幹細胞膜受容体、膜貫通接着分子またはイオンチャネルに磁化可能粒子が付着することを含む請求項３に記載の方法。
【請求項５】
前記磁気操作が、前記幹細胞内でイオンチャネルに作動または拮抗することを含む、請求項１ないし４のいずれかに記載の方法。
【請求項６】
前記幹細胞が、間葉幹細胞、ヒト胚性幹細胞、骨髄ヒト幹細胞、および、成人一次骨髄ヒト幹細胞からなる群より選択される請求項１ないし５のいずれかに記載の方法。
【請求項７】
前記幹細胞が造骨、軟骨形成および脂肪生成個体群から選択される個体群を含む間葉幹細胞である請求項６に記載の方法。
【請求項８】
磁化可能粒子をカリウムチャネル、カルシウムチャネル、ＴＲＥＫ−１チャネルおよびα2δ−１サブユニットを含む電位差依存性カルシウムチャネルからなる群より選択されるイオンチャネルに付着することを含む請求項４または請求項５に記載の方法。
【請求項９】
磁化可能粒子をインテグリン、ＴＧＦ−βおよびＢＭＰ２からなる群より選択される幹細胞膜受容体に付着することを含む請求項４に記載の方法。
【請求項１０】
磁化可能粒子を幹細胞膜受容体、膜貫通接着分子またはイオンチャネルに付着する工程を含み、前記粒子が、１つ以上の特異的抗体または細胞内の重要な細胞要素を認識するタンパク質結合モチーフに付けられる請求項４ないし８のいずれかに記載の方法。
【請求項１１】
前記粒子が、膜接着タンパク質が、ＲＧＤペプチドを含むタンパク質結合モチーフに付けられる請求項１０に記載の方法。
【請求項１２】
磁化可能粒子を幹細胞イオンチャネルに付着する工程を含み、前記イオンチャネルは、α2δ−１サブユニットを含む電位差依存性カルシウムチャネルであり、抗体を使って付着される請求項１０に記載の方法。
【請求項１３】
分化工程を含む請求項１ないし１２に記載の方法。
【請求項１４】
前記方法が、ｉｎ  ｖｉｔｒｏ法である請求項１ないし１３に記載の方法。
【請求項１５】
前記方法が、ｉｎ  ｖｉｖｏ法である請求項１ないし１３に記載の方法。
【請求項１６】
幹細胞と連結した磁化可能粒子の薬剤としての使用。
【請求項１７】
請求項１ないし１４に記載の方法により得られた幹細胞と連結した磁化可能粒子の薬剤としての使用。
【請求項１８】
請求項１６または請求項１７に記載の幹細胞と連結した磁化可能粒子のイオンチャネルが関与する疾患の治療のための薬剤としての使用。
【請求項１９】
請求項１６ないし請求項１８のいずれかに記載の幹細胞と連結した磁化可能粒子の組織または骨の損傷、癌および疼痛からなる群より選択される疾患の治療のための薬剤としての使用。
【請求項２０】
組織および／もしくは骨の修復ならびに／または再生のための薬剤の製造における幹細胞と連結した磁化可能粒子の使用。
【請求項２１】
磁化可能粒子と前記細胞との結合によって細胞内でイオンチャネルに作用または拮抗する工程を含む治療法の製造における、磁化可能粒子の使用。
【請求項２２】
損傷部位または修復部位におけるヒト間葉幹細胞を移植する治療法の製造における、磁化可能粒子の使用。
【請求項２３】
磁化可能粒子と細胞との結合によって前記細胞内でイオンチャネルに作動または拮抗すること、前記磁化可能粒子を磁気で操作すること、同時に、別々にまたは逐次的に治療的に有効な作用物を投与することを含む、治療的に有効な作用物を細胞にターゲティングするためのシステムの製造における、磁化可能粒子の使用。
【請求項２４】
治療的に有効な作用物と磁化可能粒子を細胞と結合するための手段とを含むキット。
【請求項２５】
前記治療的に有効な作用物が、同時に、別々にまたは逐次的に磁化可能粒子と投与される請求項２４に記載のキット。
【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
次式（Ｉ）の化合物または薬学的に許容できるその誘導体。
【化１】
2007518788.tif 000001
［式中、
Ｈｅｔは、２−ピリジニルまたは２−ピリミジニルを表し、
Ｒ１は、Ｈ、Ｃ１〜３アルキル、または５個もしくは６個の環原子を有する含窒素複素環を表し、
Ｒ２は、Ｈ、ベンジル、またはＣ１〜３アルキルを表し、
Ｒ３は、Ｈ、メチル、メトキシ、またはクロロを表す］
【請求項２】
Ｈｅｔが２−ピリジニルを表す、請求項１に記載の化合物。
【請求項３】
Ｒ１が１，２，３−トリアゾリルを表す、請求項１または２に記載の化合物。
【請求項４】
Ｒ２がＨまたはメチルを表す、請求項１から３のいずれかに記載の化合物。
【請求項５】
Ｒ３がクロロを表す、請求項１から４のいずれかに記載の化合物。
【請求項６】
Ｒ１、Ｒ２、およびＲ３の少なくとも１つがＨ以外の基を表す、請求項１または４に記載の化合物。
【請求項７】
Ｒ１が１，２，３−トリアゾリルを表し、かつ／またはＲ３がクロロを表す、請求項１に記載の化合物。
【請求項８】
２−｛４−［４−（２−エチル−フェニル）−５−メチル−４Ｈ−［１，２，４］トリアゾール−３−イル］−ピペリジン−１−イル｝−ピリミジン；
２−｛４−［５−メチル−４−（２−プロピル−フェニル）−４Ｈ−［１，２，４］トリアゾール−３−イル］−ピペリジン−１−イル｝−ピリミジン；
２−｛４−［４−（２−イソプロピル−フェニル）−５−メチル−４Ｈ−［１，２，４］トリアゾール−３−イル］−ピペリジン−１−イル｝−ピリミジン
４−（５−モルホリン−４−イルメチル−４−フェニル−４Ｈ−［１，２，４］トリアゾール−３−イル）−３，４，５，６−テトラヒドロ−２Ｈ−［１，２’］ビピリジニル；
４−（５−ブチル−４−フェニル−４Ｈ−［１，２，４］トリアゾール−３−イル）−３，４，５，６−テトラヒドロ−２Ｈ−［１，２’］ビピリジニル；
４−（４−フェニル−５−ピペリジン−１−イルメチル−４Ｈ−［１，２，４］トリアゾール−３−イル）−３，４，５，６−テトラヒドロ−２Ｈ−［１，２’］ビピリジニル；
４−（５−メチル−４−フェニル−４Ｈ−［１，２，４］トリアゾール−３−イル）−３，４，５，６−テトラヒドロ−２Ｈ−［１，２’］ビピリジニル；
４−［４−（４−メトキシ−２−メチル−フェニル）−５−メチル−４Ｈ−［１，２，４］トリアゾール−３−イル］−３，４，５，６−テトラヒドロ−２Ｈ−［１，２’］ビピリジニル；
４−［４−（４−クロロ−２−メチル−フェニル）−５−メチル−４Ｈ−［１，２，４］トリアゾール−３−イル］−３，４，５，６−テトラヒドロ−２Ｈ−［１，２’］ビピリジニル；
４−（５−メチル−４−ｏ−トリル−４Ｈ−［１，２，４］トリアゾール−３−イル）−３，４，５，６−テトラヒドロ−２Ｈ−［１，２’］ビピリジニル；
４−［４−（４−クロロ−フェニル）−５−メチル−４Ｈ−［１，２，４］トリアゾール−３−イル］−３，４，５，６−テトラヒドロ−２Ｈ−［１，２’］ビピリジニル；
４−［４−（４−メトキシ−フェニル）−５−［１，２，３］トリアゾール−２−イルメチル−４Ｈ−［１，２，４］トリアゾール−３−イル］−３，４，５，６−テトラヒドロ−２Ｈ−［１，２’］ビピリジニル；
４−［４−（４−メトキシ−フェニル）−５−メチル−４Ｈ−［１，２，４］トリアゾール−３−イル］−３，４，５，６−テトラヒドロ−２Ｈ−［１，２’］ビピリジニル；
４−（４−ｏ−トリル−５−［１，２，３］トリアゾール−２−イルメチル−４Ｈ−［１，２，４］トリアゾール−３−イル）−３，４，５，６−テトラヒドロ−２Ｈ−［１，２’］ビピリジニル；
４−［４−（４−クロロ−２−メチル−フェニル）−５−［１，２，３］トリアゾール−２−イルメチル−４Ｈ−［１，２，４］トリアゾール−３−イル］−３，４，５，６−テトラヒドロ−２Ｈ−［１，２’］ビピリジニル；
４−（４−フェニル−５−［１，２，３］トリアゾール−２−イルメチル−４Ｈ−［１，２，４］トリアゾール−３−イル）−３，４，５，６−テトラヒドロ−２Ｈ−［１，２’］ビピリジニル；
４−［４−（４−クロロ−フェニル）−５−［１，２，３］トリアゾール−２−イルメチル−４Ｈ−［１，２，４］トリアゾール−３−イル］−３，４，５，６−テトラヒドロ−２Ｈ−［１，２’］ビピリジニル；
４−（５−メチル−４−ｐ−トリル−４Ｈ−［１，２，４］トリアゾール−３−イル）−３，４，５，６−テトラヒドロ−２Ｈ−［１，２’］ビピリジニル；
４−［４−（２，４−ジメチル−フェニル）−５−メチル−４Ｈ−［１，２，４］トリアゾール−３−イル］−３，４，５，６−テトラヒドロ−２Ｈ−［１，２’］ビピリジニル；
４−［４−（４−クロロ−２−メチル−フェニル）−５−モルホリン−４−イルメチル−４Ｈ−［１，２，４］トリアゾール−３−イル］−３，４，５，６−テトラヒドロ−２Ｈ−［１，２’］ビピリジニル；および
薬学的に許容できるこれらの誘導体から選択される、請求項１に記載の化合物。
【請求項９】
請求項１から８のいずれかに記載の化合物の医薬としての使用。
【請求項１０】
不安、心血管疾患（狭心症、アテローム性動脈硬化症、高血圧、心不全、浮腫、高ナトリウム血症を含む）、月経困難症（原発性および続発性）、子宮内膜症、嘔吐（乗り物酔いを含む）、子宮内発育不全、炎症（関節リウマチを含む）、中間痛、子癇前症、早漏、早産（早期分娩）、およびレイノー病から選択される障害の治療のための医薬の製造における請求項１から８のいずれかに記載の化合物の使用。
【請求項１１】
障害が月経困難症（原発性および続発性）である、請求項１０に記載の使用。
【請求項１２】
障害が原発性月経困難症である、請求項１１に記載の使用。
【請求項１３】
請求項１から８のいずれかに記載の化合物もしくは薬学的に許容できるその誘導体と、薬学的に許容できる賦形剤、希釈剤、もしくは担体とを含む医薬製剤。
【請求項１４】
請求項１から８のいずれかに記載のＶ１ａアンタゴニストが、（ａ）経口避妊薬、（ｂ）ＰＤＥ５阻害剤、（ｃ）ＮＯ供与体、（ｄ）Ｌ−アルギニン、または（ｅ）ＣＯＸ阻害剤から選択された化合物と組み合わされたものを含む、月経困難症の治療で同時、別々、または逐次に使用するための混合製剤としての医薬品。
【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
一般式M(L)n
｛式中、Lはそれぞれ独立して選択され、配位子を意味し、かつ、少なくとも１個のLは、そのシアニド基の窒素原子を介してM（遷移金属から選択される元素である）に結合し、それによって、M-NC-[Co]（式中、[Co]はシアニドを有しないビタミンB12を意味する）部分を形成しているビタミンB12（シアノコバラミン）またはその誘導体であり、nは１、２、３、４、５または６である｝
の金属錯体。
【請求項２】
遷移金属が、テクネチウム、ルテニウム、ロジウム、レニウム、パラジウム、白金、イリジウム及び銅から選択される、請求項１に記載の金属錯体。
【請求項３】
金属が、99mTc、188Re、186Re等のReまたはTc元素の放射性同位体である、請求項１または２に記載の金属錯体。
【請求項４】
Mがテクネチウムまたはレニウムのとき、他の配位子が３個のカルボニル基（CO's)及び、場合によっては二座配位子（場合によっては更に１個の金属錯体、または生物活性分子または蛍光物質のような他の分子と結合している）を含む、請求項１−３のいずれか一項に記載の金属錯体。
【請求項５】
二座配位子が、２個の脂肪族及び／または芳香族アミン部分、または１個の脂肪族または芳香族アミン部分、及びカルボキシレート、チオレートまたはヒドロキシレートのような陰性基から選択される、請求項４に記載の金属錯体。
【請求項６】
二座配位子が、α−アミノ酸またはピコリン酸誘導体から選択される、請求項５に記載の金属錯体。
【請求項７】
Mが白金のとき、Lは、金属への配位に利用される、金属結合原子または、１対の非結合電子対を有する他のドナーとして、独立してN、S、P、O、Cを含む配位子から選択され、場合によっては更なる金属錯体または、生物活性分子または蛍光分子等の他の分子と結合している、請求項１−３のいずれか一項に記載の金属錯体。
【請求項８】
他の分子が、蛍光物質、細胞毒性もしくは細胞増殖抑制もしくは他の薬理活性を有するファーマコフォア、光学色素、NIR色素、またはリン光色素から選択される、請求項４または７のいずれか一項に記載の金属錯体。
【請求項９】
蛍光物質が、フルオレセイン、ピレン、アクリジンまたはダンシルから選択される、請求項８に記載の金属錯体。
【請求項１０】
細胞毒性剤が、タモキシフェン、メトトレキサート、またはシクロホスファミドである、請求項８に記載の金属錯体。
【請求項１１】
図２で示される構造式を有する、請求項１−１０のいずれか一項に記載の金属錯体。
【請求項１２】
ビタミンB12と一般式M(L)n-1L'（式中、Mは遷移金属であり、nは２、３、４、５または６であり、L'はビタミンB12またはその誘導体により置換される配位子であり、それぞれのLは独立して選択され、安定な[Co]-CN-M架橋を有する金属錯体を得る為の配位子である）の前駆錯体を混合することを含む、請求項１−１１のいずれか一項に記載の金属錯体の製造法。
【請求項１３】
一般式M(L)n-1L'（式中、Mは遷移金属であり、nは２、３、４、５または６であり、L'は置換される配位子であり、それぞれのLは独立して選択され、配位子である）を有する、請求項１−１１のいずれか一項に記載の金属錯体の製造に使用される前駆錯体。
【請求項１４】
図１で示される構造式を有する、請求項１３に記載の前駆錯体。
【請求項１５】
放射線診断、化学療法または放射性核種療法に使用される、請求項１−１１のいずれか一項に記載の金属錯体。
【請求項１６】
Mが触媒反応に使用する、触媒活性を有する金属である、請求項１−１１のいずれか一項に記載の金属錯体。
【手続補正書】
【提出日】平成20年1月8日(2008.1.8)
【手続補正１】
【補正対象書類名】特許請求の範囲
【補正対象項目名】請求項２６
【補正方法】変更
【補正の内容】
【請求項２６】
段階（iii）が、約−20℃〜約80℃の温度で行われる、請求項25記載の方法。
【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
a) トロンビンペプチド誘導体；ならびに
b) キレート剤および/または薬学的に許容され得るチオール含有化合物
を含む、医薬組成物。
【請求項２】
抗酸化剤を更に含む、請求項１記載の医薬組成物。
【請求項３】
キレート剤が銅キレート剤である、請求項１記載の医薬組成物。
【請求項４】
銅キレート剤が、ジエチレントリアミンペンタ酢酸(DTPA)およびバソフェナントロリンジスルホン酸 (BPADA)からなる群より選択される、請求項３記載の医薬組成物。
【請求項５】
銅キレート剤が、エチレンジアミンテトラ酢酸(EDTA)、ペニシラミン、トリエンチン、N,N'-ジエチルジチオカルバメート(DDC)、2,3,2'-テトラアミン(2,3,2'-tet)、ネオクプロイン、N,N,N',N'-テトラキス(2-ピリジルメチル)エチレンジアミン(TPEN)、1,10-フェナントロリン(PHE)、テトラエチレンペンタミン、トリエチレンテトラアミンおよびトリス(2-カルボキシエチル)ホスフィン(TCEP)からなる群より選択される、請求項３記載の医薬組成物。
【請求項６】
医薬組成物が、チオグリセロール、メルカプトエタノール、チオグリコール、チオジグリコール、システイン、チオグルコース、ジチオトレイトール(DTT)およびジチオ-ビス-マレイミドエタン(DTME)からなる群より選択される薬学的に許容され得るチオール含有化合物を含む、請求項１記載の医薬組成物。
【請求項７】
抗酸化剤が、トコフェロール、システイン、メチオニン、グルタチオン、トコトリエノール、ジメチルグリシン、ベタイン、ブチル化ヒドロキシアニソール、ブチル化ヒドロキシトルエン、ターメリン、ビタミンＥ、アスコルビン酸、アスコルビルパルミチン酸塩、およびチオグリコール酸からなる群より選択される、請求項２記載の医薬組成物。
【請求項８】
銅キレート剤および薬学的に許容され得るチオール含有化合物を含む、請求項１記載の医薬組成物。
【請求項９】
トロンビンペプチド誘導体が、アミノ酸配列：
a) R1-Ala-Gly-Tyr-Lys-Pro-Asp-Glu-Gly-Lys-Arg-Gly-Asp-Ala-Cys-Glu-Gly-Asp-Ser-Gly-Gly-Pro-Phe-Val-R2（配列番号：１）
（式中：
R1は-HまたはR3-C(O)-である；
R2は-OHまたは-NR4R5である；
R3は-HまたはC1〜C6アルキル基である；ならびに
R4およびR5は、独立して-H、C1〜C6アルキル基であるか、またはそれらが結合する窒素原子と共に、非芳香族複素環基である;
ただし、トロンビンペプチド誘導体中の1〜9および15〜23位の0、1、2、または3つのアミノ酸は、配列番号１の対応する位置でアミノ酸の保存的置換である）；
b) 少なくとも14個のアミノ酸を有するトロンビンペプチド誘導体のN-末端切断フラグメント；または
c) 少なくとも18個のアミノ酸を有するトロンビンペプチド誘導体のC-末端切断フラグメント、
からなる、請求項１記載の医薬組成物。
【請求項１０】
トロンビンペプチド誘導体が、アミノ酸配列：
a)R1-Ala-Gly-Tyr-Lys-Pro-Asp-Glu-Gly-Lys-Arg-Gly-Asp-Ala-Cys-X1-Gly-Asp-Ser-Gly-Gly-Pro-X2-Val-R2（配列番号：２）、
（式中：
X1はGluまたはGlnであり;
X2はPhe、Met、Leu、His、またはValであり;
R1は-HまたはR3-C(O)-であり;
R2は-OHまたはNR4R5であり;
R3は-HまたはC1〜C6アルキル基であり;ならびに
R4およびR5は独立して-H、C1〜C6アルキル基であるか、または、それらが結合している窒素原子と共に、非芳香族複素環基である）；
b)少なくとも14個のアミノ酸を有するトロンビンペプチド誘導体のN末端切断フラグメント；または
c)少なくとも18個のアミノ酸を有するトロンビンペプチド誘導体のC末端切断フラグメント
からなる、請求項１記載の医薬組成物。
【請求項１１】
トロンビンペプチド誘導体がAla-Gly-Tyr-Lys-Pro-Asp-Glu-Gly-Lys-Arg-Gly-Asp-Ala-Cys-Glu-Gly-Asp-Ser-Gly-Gly-Pro-Phe-Val（配列番号：３）を含む23個のアミノ酸ポリペプチドである、請求項１記載の医薬組成物。
【請求項１２】
トロンビンペプチド誘導体がH-Ala-Gly-Tyr-Lys-Pro-Asp-Glu-Gly-Lys-Arg-Gly-Asp-Ala-Cys-Glu-Gly-Asp-Ser-Gly-Gly-Pro-Phe-Val-NH2（配列番号：４）である、請求項１記載の医薬組成物。
【請求項１３】
組成物がキレート剤および抗酸化剤を含む、請求項２または１２記載の医薬組成物。
【請求項１４】
抗酸化剤がメチオニンである、請求項１３記載の医薬組成物。
【請求項１５】
トロンビンぺプチド誘導体が、任意にC(O)-NH2としてC末端でアミド化される、H-Ala-Gly-Tyr-Lys-Pro-Asp-Glu-Gly-Lys-Arg-Gly-Asp-Ala-Cys-Glu-Gly-Asp-Ser-Gly-Gly-Pro-Phe-Val-NH2（配列番号：４）の少なくとも14個のアミノ酸を有するN末端切断フラグメントまたは少なくとも18個のアミノ酸を有するC末端切断フラグメントである、請求項１記載の医薬組成物。
【請求項１６】
錠剤；カプセル；微粒子製剤；溶液；懸濁液またはエリキシル；徐放性製剤；注射可能製剤；移植可能製剤および局部製剤からなる群より選択される、請求項１記載の医薬組成物。
【請求項１７】
被験体における非タンパク質分解活性化トロンビンレセプターを活性化させるための、請求項１記載の医薬組成物。
【請求項１８】
被験体における非タンパク質分解活性化トロンビンレセプターを活性化させるための医薬組成物であって、ここで医薬組成物がゲルであり、
a）アミノ酸配列：
H-Ala-Gly-Tyr-Lys-Pro-Asp-Glu-Gly-Lys-Arg-Gly-Asp-Ala-Cys-Glu-Gly-Asp-Ser-Gly-Gly-Pro-Phe-Val-NH2（配列番号４）よりなるトロンビンペプチド誘導体；
b）キレート剤；および
d）抗酸化剤、
を含む、医薬組成物。
【請求項１９】
被験体が軟骨の成長または修復を促進する処置を必要とする、請求項１７または１８記載の医薬組成物。
【請求項２０】
被験体が骨の成長を必要とする、請求項１７または１８記載の医薬組成物。
【請求項２１】
被験体が創傷の治癒を促進する処置を必要とする、請求項１７または１８記載の医薬組成物。
【請求項２２】
創傷が慢性的な創傷である、請求項２１記載の医薬組成物。
【請求項２３】
被験体が心臓の修復を促進するか、または再狭窄を抑制する処置を必要とする、請求項１７または１８記載の医薬組成物。
【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
被験者の皮膚を通してのオリゴヌクレオチド又はポリヌクレオチドの皮内又は経皮送達を促進するための装置、及びオリゴヌクレオチド又はポリヌクレオチドを含む薬剤組成物を含む、オリゴヌクレオチド又はポリヌクレオチドの皮内又は経皮送達用システムであって、前記装置が、
（ａ）複数の電極を含む電極カートリッジ、及び
（ｂ）電極が皮膚の近傍にあるときに、２つ以上の電極の間に電気エネルギーを加えて、通常、電流又は１つ若しくは複数のスパークを生じ、前記電極の真下の領域の角質層のアブレーションを可能にし、それによって少なくとも１つのマイクロチャネルを作製するように適合された制御ユニットを含む主要ユニットを含む、システム。
【請求項２】
電極カートリッジが、形状及び大きさが均一な複数のマイクロチャネルを作製するように適合される、請求項１に記載のシステム。
【請求項３】
電極の直径が、３０〜１５０ミクロンの範囲である、請求項１に記載のシステム。
【請求項４】
電極の直径が、４０〜１００ミクロンの範囲である、請求項３に記載のシステム。
【請求項５】
電極の長さが、３０〜５００ミクロンの範囲である、請求項１に記載のシステム。
【請求項６】
電極の長さが、５０〜１００ミクロンの範囲である、請求項５に記載のシステム。
【請求項７】
電気エネルギーが高周波である、請求項１に記載のシステム。
【請求項８】
オリゴヌクレオチド又はポリヌクレオチドが、ＤＮＡ、ＲＮＡ、及びその合成類似体のオリゴヌクレオチド又はポリヌクレオチドからなる群から選択される、請求項１に記載のシステム。
【請求項９】
オリゴヌクレオチド又はポリヌクレオチドが、ポリペプチド、類似体、断片、又はその融合タンパク質をコードする、請求項８に記載のシステム。
【請求項１０】
オリゴヌクレオチド又はポリヌクレオチドが、発現するように調節配列に作動可能に連結されている、請求項１に記載のシステム。
【請求項１１】
ポリペプチドが、インスリン、プロインスリン、卵胞刺激ホルモン、インスリン様成長因子−１、インスリン様成長因子−２、血小板由来増殖因子、上皮成長因子、線維芽細胞増殖因子、神経成長因子、コロニー刺激因子、形質転換成長因子、腫瘍壊死因子、カルシトニン、副甲状腺ホルモン、成長ホルモン、骨形成タンパク質、エリスロポエチン、造血増殖因子、黄体形成ホルモン、グルカゴン、グルカゴン様ペプチド−１、凝固因子、抗凝固因子、心房性ナトリウム利尿因子、プラスミノーゲンアクチベーター、ボンベシン、トロンビン、エンケファリナーゼ、血管内皮成長因子、抗血管新生因子、インターロイキン、ウイルス抗原、非ウイルス抗原、輸送タンパク質、及び抗体からなる群から選択される、請求項９に記載のシステム。
【請求項１２】
オリゴヌクレオチドが、アンチセンスオリゴヌクレオチド、低分子干渉オリゴヌクレオチド（ｓｉＲＮＡ）、及びｍｉＲＮＡからなる群から選択される、請求項１に記載のシステム。
【請求項１３】
薬剤組成物が、脂質、ポリカチオン、及びヌクレアーゼ阻害剤からなる群から選択される少なくとも１種の添加物をさらに含む、請求項１に記載のシステム。
【手続補正書】
【提出日】平成20年1月11日(2008.1.11)
【手続補正１】
【補正対象書類名】特許請求の範囲
【補正対象項目名】請求項７
【補正方法】変更
【補正の内容】
【請求項７】
前記複数の凸包の１つ以上の残存する凸包に摂動が起きなかったと判断する際、モニタリングされた信号の前記複数の組にアーチファクトが存在し得ると判断する請求項５に記載の方法。
【手続補正２】
【補正対象書類名】特許請求の範囲
【補正対象項目名】請求項１０
【補正方法】変更
【補正の内容】
【請求項１０】
前記メモリ及び前記プロセッサに結合されるユーザインタフェースをさらに有する請求項９に記載の装置において、前記プロセッサは、前記モニタリングされた信号の組の前記複数のプロットの前記複数の凸包に摂動が存在する場合、臨床上重大な変化が前記患者に起きたことを示すため、又はモニタリングされた信号の組の複数のプロットの複数の凸包のサブセットだけに摂動が存在し、前記モニタリングされた信号の組の前記複数のプロットの前記複数の凸包の残存する凸包には摂動が存在しない場合、複数の前記モニタリングされた信号の１つ以上にアーチファクトが存在し得ることを示す警報信号を前記ユーザインタフェースに出力する装置。
【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
フレキシブル基板のそれぞれの領域上に形成された１つ又はそれ以上のフレキシブル発光ダイオード、及びフレキシブル基板のそれぞれの領域上に形成された１つ又はそれ以上のフレキシブル光検出器を含む医療用センサ。
【請求項２】
前記フレキシブル発光ダイオードが、単一のフレキシブル基板上に形成されることを特徴とする請求項１に記載の医療用センサ。
【請求項３】
動作中に前記センサから光が照射されることになる患者の身体の一部分に対して前記センサが共形となることができる程十分にフレキシブルであるように配置されることを特徴とする請求項１又は２に記載の医療用センサ。
【請求項４】
前記フレキシブル発センサが、有機発光ダイオードを含むことを特徴とする請求項１〜３のいずれか１項に記載の医療用センサ。
【請求項５】
前記フレキシブル発光ダイオードが、ヒト又は動物の身体の病状の診断又は治療に適切な波長で発光することを特徴とする請求項１〜４のいずれか１項に記載の医療用センサ。
【請求項６】
前記フレキシブル発光ダイオードが、スペクトルの赤色から赤外領域内で発光することを特徴とする請求項１〜５のいずれか１項に記載の医療用センサ。
【請求項７】
フレキシブル発光ダイオードが、スペクトルの近赤外領域内で発光することを特徴とする請求項１〜６のいずれか１項に記載の医療用センサ。
【請求項８】
フレキシブル発光ダイオードが、スペクトルの非可視領域内で発光することを特徴とする請求項１〜７のいずれか１項に記載の医療用センサ。
【請求項９】
互いに異なる波長で発光するように配置された複数のフレキシブル発光ダイオードを含むことを特徴とする請求項１〜８のいずれか１項に記載の医療用センサ。
【請求項１０】
互いに異なる波長で発光するように配置された少なくとも２つの発光ダイオードを含み、前記発光ダイオードは、これらの異なる波長における光が、これらの波長で発光する前記発光ダイオードによって定められる領域の総和全体にわたって実質的に均一に発光するように配置されることを特徴とする請求項１〜９のいずれか１項に記載の医療用センサ。
【請求項１１】
患者の身体又はその周りに前記医療用センサを取り付けるための取り付け手段を含むストラップを備えることを特徴とする請求項１〜１０のいずれか１項に記載の医療用センサ。
【請求項１２】
前記フレキシブル基板がストラップを形成することを特徴とする請求項１１に記載の医療用センサ。
【請求項１３】
前記取り付け手段が、マジックテープ手段、矢じり及びスロット手段、及び自動接着手段のうちの１つであることを特徴とする請求項１１又は１２に記載の医療用センサ。
【請求項１４】
前記発光ダイオードは、三重項発光体を含むことを特徴とする請求項１〜１３のいずれか１項に記載の医療用センサ。
【請求項１５】
前記発光ダイオードは、センサ内で放出された光を第１の波長から第２の波長に波長シフトするように配置された１つ又はそれ以上の構成部品を含むことを特徴とする請求項１〜１４のいずれか１項に記載の医療用センサ。
【請求項１６】
蛍光発光体を含み、前記波長シフトが前記蛍光発光体を用いて少なくとも部分的に行われることを特徴とする請求項１５に記載の医療用センサ。
【請求項１７】
波長シフト格子を含み、前記波長シフトが前記波長シフト格子を用いて少なくとも部分的に行われることを特徴とする請求項１５又は１６に記載の医療用センサ。
【請求項１８】
微小空洞を含み、前記波長シフトが前記微小空洞を用いて少なくとも部分的に行われることを特徴とする請求項１５〜１７のいずれか１項に記載の医療用センサ。
【請求項１９】
前記第２の波長が、前記微小空洞の調整によって決定されることを特徴とする請求項１８に記載の医療用センサ。
【請求項２０】
前記微小空洞は、前記発光ダイオードの平面にほぼ垂直に第３の波長で発光するように調整されることを特徴とする請求項１９に記載の医療用センサ。
【請求項２１】
前記１つ又はそれ以上のフレキシブル光検出器の少なくとも１つは、動作中、前記フレキシブル発光ダイオードの少なくとも１つによって放出された光を検出するように配置されることを特徴とする請求項１に記載の医療用センサ。
【請求項２２】
時間インターリーブ基準に基づいて発光するように配置された２つ又はそれ以上のフレキシブル発光ダイオードを備えることを特徴とする請求項２１に記載の医療用センサ。
【請求項２３】
動作中、ヒト又は動物の身体の酸素、一酸化炭素、及びビリルビンのうちの少なくとも１つのレベルの診断に好適な波長で発光するように配置された複数の医療用センサを備えることを特徴とする請求項２１又は２２に記載の医療用センサ。
【請求項２４】
前記光検出器は、有機光起電力検出器であることを特徴とする請求項２１〜２３のいずれか１項に記載の医療用センサ。
【請求項２５】
後続の光パルスが発光される前に許容可能レベルまで発光が確実に低下するよう計算された時間期間の間、前記三重項発光体が活性化されるように、所定のパルス時間期間を有するパルスモードで請求項１４に記載の医療用センサを動作する方法。
【請求項２６】
前記所定のパルス時間期間は、２５ｍｓ以下であることを特徴とする請求項２５に記載の方法。
【請求項２７】
パルスモードにおいて、発光パルスのタイミングが、前記センサが取り付けられる患者のパルスタイミングの指示に応答して決定されることを特徴とする請求項２１〜２４のいずれか１項に記載の方法。
【請求項２８】
スペクトルの青色領域で発光するように配置された有機発光ダイオードと、
前記有機発光ダイオードからの青色発光を前記スペクトルの赤外領域の発光に変換するように配置された波長変換層と、
を含む有機発光ダイオード装置。
【請求項２９】
前記波長変換層が、蛍光体ベースの化合物を含むことを特徴とする請求項３２に記載の有機発光ダイオード装置。
【請求項３０】
前記波長変換層が、赤外エッジフィルタを含むことを特徴とする請求項２８又は２９に記載の有機発光ダイオード装置。